(57)【要約】【課題】手に付着した水滴を吹き飛ばす際に、手のひらと手の甲の全体に短時間で噴流を吹きつけるためには、ノズルを分割して噴きつける方法をとるが、分割されたノズルの間隔により手の乾燥にムラが生じる課題があり、時間とともに噴流の進行方向が変化することで、ノズルが動いて間隔部分についても噴流を噴きつけるため、乾燥にムラが生じないことができることを目的としている。また、従来の使用感を損なわない手乾燥装置を提供することを目的としている。【解決手段】複数のノズル２を間隔をおいて配列し、ノズル２を動かすことで、噴出される噴流の方向を変化させる噴流方向変更手段１０を備え、ノズル２の間隔をとる配置にしても手に十分な噴流が接触するようになり、風速を維持したまま風量を低減することで消費電力を軽減し、かつ乾燥ムラがなく手の乾燥を満足することができるという作用を有する。【選択図】図２
2008080100.tif 000002
【特許請求の範囲】
【請求項１】
外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を備え、複数の前記ノズルを間隔をおいて配列し、前記ノズルの噴出方向を往復運動させるようにした手乾燥装置。
【請求項２】
外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を備え、手を挿入する方向を鉛直方向とすると、複数の前記ノズルを間隔をおいて水平方向に配列して、かつ水平方向に往復運動させる噴流往復運動手段を備えた手乾燥装置。
【請求項３】
複数のノズルから噴出される噴流の方向を変化させるために可動部材を用いた噴流方向変更手段を備えた請求項１および請求項２のいずれか記載の手乾燥装置。
【請求項４】
箱体と、この箱体に設けられて前記箱体の上部に開口した手乾燥室と、前記箱体に設けられて高圧気流を発生する高圧気流発生装置と、前記手乾燥室の互いに対向した２面にそれぞれ配置されて前記高圧気流発生装置の送気路に連通したノズルと、前記高圧気流発生装置を制御する制御装置と、前記手乾燥室に設けられて前記制御装置へ手検出信号を送る検出器とを備え、複数の前記ノズルを間隔をおいて配列し、前記ノズルから噴出される噴流の方向を変化させるために可動部材を用いた噴流方向変更手段を備えた手乾燥装置。
【請求項５】
噴流方向変更手段は可動部材を用いてノズルを動かすことで噴流の進行方向を自在に制御できる構成とした請求項１から請求項４のいずれか記載の手乾燥装置。
【請求項６】
ノズルを円筒形状の弾性体にて構成し、ノズルの噴流を噴出する吹出口を自由端とし、他端を固定端として構成した請求項１から請求項５のいずれか記載の手乾燥装置。
【請求項７】
複数の噴流の進行方向を常に同一方向に変化させることができる請求項１から請求項６のいずれか記載の手乾燥装置。
【請求項８】
ノズルを曲げることで噴流の進行方向を変更できる構成とした請求項１から請求項７のいずれか記載の手乾燥装置。
【請求項９】
噴流方向変更手段は可動部材としてノズルを動かすために設置された案内板を設けることで自在に噴流の進行方向を制御できる構成とした請求項１から請求項８のいずれか記載の手乾燥装置。
【請求項１０】
案内板には、複数の円筒形状のノズルの直径よりも大きな直径の穴をノズルの個数分持ち、かつ複数のノズルと等間隔で配列されている構成となる請求項１から請求項９のいずれか記載の手乾燥装置。
【請求項１１】
案内板に設けられた穴は、吹出口の反対方向がテーパ形状となり、前記案内板とノズルは連結がなく、前記ノズルと前記案内板は接触する構成となる請求項１から請求項１０のいずれか記載の手乾燥装置。
【請求項１２】
ノズルの材質をゴムとした請求項１から請求項１１のいずれか記載の手乾燥装置。
【請求項１３】
ノズルの一部に屈曲しやすくなるように蛇腹部を持つ形状とした請求項１から請求項１２のいずれか記載の手乾燥装置。
【請求項１４】
ノズルが手乾燥室の内面に突出しないようにカバーを設け、前記ノズルから噴出される噴流を隔てないことを特徴とする請求項１から請求項１３のいずれか記載の手乾燥装置。
【請求項１５】
噴流方向変更手段を動作させるモータを備え、案内板とモータを連結して、モータの回転運動を伝えて案内板を動作させる構成となる請求項１から請求項１４のいずれか記載の手乾燥装置。
【請求項１６】
モータにクランクの一方の軸を連結し、前記クランクの偏心された別の軸とリンクを連結し、前記リンクと案内板を連結した構成において、前記クランクから前記リンクを介して前記案内板へ動作を伝え、前記案内板は複数の支持部により保持されて往復運動する構成において、前記リンクと前記案内板の連結部は複数の前記支持部の間に備えられた請求項１から請求項１５のいずれか記載の手乾燥装置。
【請求項１７】
一つのノズルから噴出する噴流の初期領域に存在するポテンシャルコアの先端が往復移動する距離を複数のノズルの間隔より長いように構成したことを特徴とする請求項１から１６のいずれか記載の手乾燥装置。
【請求項１８】
ノズルの吹出口の断面形状はスリット形状であり、往復運動する方向を長手方向としたことを特徴とする請求項１から１７のいずれか記載の手乾燥装置。
【請求項１９】
ノズルの吹出口の断面形状は楕円形状であり、往復運動する方向を長手方向としたことを特徴とする１から１７のいずれか記載の手乾燥装置。
【請求項２０】
手乾燥室に挿入された手に対し、手の甲側に向かって噴流を噴出する手の甲側ノズル、及び手の平側に向かって噴流を噴出する手の平側ノズルを備えた構成であって、前記手の平側ノズルの配置数を前記手の甲側ノズルより多くしたことを特徴とする請求項１から１９のいずれか記載の手乾燥装置。
【請求項２１】
ノズル１個あたりの開口面積を比較して、手の平側ノズルの開口面積を手の甲側ノズルより広くしたことを特徴とする請求項１から２０のいずれか記載の手乾燥装置。
【請求項２２】
間隔をおいて列状に配列されたノズルのうち、両端の前記ノズルは列の中央寄りに傾斜していることを特徴とする請求項１から２１のいずれか記載の手乾燥装置。
【請求項２３】
手乾燥室に手が挿入されると、制御装置により噴流方向変更手段が動作した後、時間をおいて高圧気流発生装置が動作することを特徴とする請求項１から２２のいずれか記載の手乾燥装置。
【請求項２４】
噴流方向変更手段による往復運動の周期を時間と共に変化させることを特徴とする請求項１から２３のいずれか記載の手乾燥装置。
【請求項２５】
高圧気流発生装置を２個備え、それぞれ独立した吹出風路及びノズルを備えた構成であって、運転開始と共に一方の前記高圧気流発生装置を運転させた後、時間をおいて他方の前記高圧気流発生装置を運転させることを特徴とする請求項１から２４のいずれか記載の手乾燥装置。
【請求項２６】
手乾燥室内に目線遮り部を設け、且つ前記目線遮り部は前記手乾燥室の開口からノズルが見えないようにしたことを特徴とする請求項１から２５のいずれか記載の手乾燥装置。
【請求項２７】
噴流方向変更手段はノズルに往復運動を伝える案内板と、前記案内板を動作させるモータを備え、前記案内板を往復運動させて噴流方向を変更できる構成であって、前記モータは手乾燥室の手挿入方向に対して前記ノズルより手前側に備えたことを特徴とする請求項１から２６のいずれか記載の手乾燥装置。
【請求項２８】
モータは手乾燥室の手挿入方向に対してノズルより奥側に備えたことを特徴とする請求項１から２６のいずれか記載の手乾燥装置。
【請求項２９】
モータを吹出風路の外部に備え、且つ前記モータの手前に前記モータを覆うモータカバーを備えたことを特徴とする請求項１から２６のいずれかまたは請求項２８に記載の手乾燥装置。
【請求項３０】
吸込口は箱体の下面に備え、それぞれの前記吸込口から上方に向かって独立した吸込風路を形成して２個の高圧気流発生装置までそれぞれ案内し、前記高圧気流発生装置はファン及び駆動軸及び駆動モータから構成されており、前記高圧気流発生装置の駆動軸は水平方向にして２台並列して配置され、且つ前記駆動軸は一直線上となるようにしたことを特徴とする請求項１から２９のいずれか記載の手乾燥装置。
【請求項３１】
箱体は裏面を壁面に沿って固定され、上面に開口した手乾燥室と、下面に使用者の手から分離した水滴を溜めるドレンタンクと、前記ドレンタンクの奥寄りに吸込口を備え、前記吸込口から前記ドレンタンクの上を覆うように吸込風路が形成されて高圧気流発生装置まで連通させた構成であって、制御装置は、前記高圧気流発生装置より下で、且つ前記ドレンタンクの上を覆う吸込風路の上に備えたことを特徴とする請求項１から３０のいずれか記載の手乾燥装置。
【請求項３２】
ノズルは吹出口と流入部を両端に持つ筒状で形成されており、吹出風路内面より前記流入部に向かって押し込み防止部を備えたことを特徴とする請求項１から３１のいずれか記載の手乾燥装置。
【発明の詳細な説明】
【技術分野】
【０００１】
本発明は、例えば、洗面所やトイレ等で手を洗い、濡れた手を乾燥させる手乾燥装置などに関するものである。
【背景技術】
【０００２】
従来、この種の手乾燥装置は、両面から高速風を噴出すことにより乾燥する方式としたものが知られている。
【０００３】
以下、その手乾燥装置について図１８から図２２を参照しながら説明する。
【０００４】
図１８及び図１９に示すように、壁面に固定された箱体１０１は、高速噴流を噴き出すノズル１０２を対に対峙した形で付属している。ノズル１０２の対峙した空間に手を挿入して乾燥させるための手乾燥室１０３が本体内部に形成される。その手乾燥室１０３の下方に水滴回収手段であるドレンタンク１０４を付属している。箱体１０１内には高圧気流発生装置１０５および制御装置１０６が設けられている。手乾燥室１０３の中に挿入された手を検知して高圧気流発生装置１０５に通電するための検出器１０７を箱体１０１の一部に付属している。上記構成において濡れた手を手乾燥室１０３に挿入すると、検出器１０７により手の存在を検知して、高圧気流発生装置１０５を動作させる。これにより本体下部に設置された吸込口１０８から外部空気を吸込み、高圧気流発生装置１０５を経由して風が形成されてノズル１０２より送風される。このとき差し出した手に風が当たり、手を乾燥させる。手を引っ込めると検出器１０７の検出がなくなるので、高圧気流発生装置１０５は停止する。このような運転の作業を制御装置１０６にて実施する。
【０００５】
ノズル１０２は風量を少なくするため、複数個の吹出穴１０９にて構成されている（例えば、特許文献１参照）。
【０００６】
また、最近は図２０に示すようにノズル１０２をライン状吹出口１１０にすることが一般的になっている（例えば、特許文献２参照）。
【０００７】
また、その他の種類として片面から高速風を噴出して乾燥する方式としたものが知られている（例えば、特許文献３参照）。
【０００８】
また、図２１に示すように、壁面に固定された箱体２０１は、下部に高速噴流を噴き出すノズル２０２とノズル２０２から高速噴流を噴き出す方向に設置された水滴の回収手段であり、手を乾燥させる空間である手乾燥室２０３を付属している。手乾燥室にて回収した水は下方に水滴の回収手段であるドレンタンク２０４にて回収を行う。箱体２０１内には高圧気流発生装置２０５、発熱装置２０９および制御装置２０６が設けられている。手乾燥室２０３の中に挿入された手を検知して高圧気流発生装置２０５および発熱装置２０９に通電するための検出器２０７を箱体２０１の一部に付属している。
【０００９】
上記構成において濡れた手を手乾燥室２０３に挿入すると、検出器２０７により手の存在を検知して、高圧気流発生装置２０５および発熱装置２０９を動作させる。これにより本体下部に設置された吸込口２０８から箱体２０１の外部空気を吸込み、高圧気流発生装置２０５と発熱装置２０９を経由して温風が形成されてノズル２０２より送風される。このとき差し出した手に温風が当たり、手を乾燥させる。手を引っ込めると検出器２０７の検出がなくなるので、高圧気流発生装置２０５および発熱装置２０９は停止する。このような運転の作業を制御装置２０６にて実施する。このノズル２０２は、複数列のライン状吹出口２１０となっている。
【００１０】
また、図２２に示すように、ノズル３０１を駆動させる駆動手段３０２を備えた手乾燥装置があり、使用者が手を挿入すると駆動手段３０２によってノズル３０１が使用者の手首から指先に向かって噴流を噴出しながら水滴を除去するものがある（例えば、特許文献４参照）。
【特許文献１】特許第２７２０７２２号公報
【特許文献２】特開２００２−１３６４４８号公報
【特許文献３】特開２００５−１６０８７２号公報
【特許文献４】特許第３７９４３３３号公報
【発明の開示】
【発明が解決しようとする課題】
【００１１】
このような従来の手乾燥装置では、手に付着した水滴を噴流によって吹き飛ばす際に、手のひらと手の甲の全体に短時間で噴流を吹きつけるために、複数のノズルから手に噴流を噴きつける方法をとるが、複数のノズルの間隔の影響により、噴流が濡れた手全体に均一に当たらず、手の乾燥にムラが生じる場合があるという課題があり、また乾燥ムラをなくすためにライン状のノズルにて手に噴流を噴きつける方法が一般的になっているが、ライン状に並んだノズルとノズルの間にノズル噴流の隙間ができ易くなり、ノズル噴流の隙間を無くそうとすると、大量のノズル噴流の風量が必要となるため、送風に必要なエネルギーが大きくなるという課題がある。
【００１２】
また、ノズルを可動させた手乾燥装置は、手乾燥室の形状や使用者の手への噴流の当て方が従来と異なることで使いにくく、使用感が良くないという課題がある。
【００１３】
本発明は、このような従来の課題を解決するものであり、噴流を濡れた手全体に均一に当て、ノズル間隔の影響を受けにくく、乾燥ムラを生じさせず、消費電力を低減し、省エネルギーな手乾燥装置を提供することを目的としている。また、従来の使用感を損なわない手乾燥装置を提供することを目的としている。
【課題を解決するための手段】
【００１４】
本発明の手乾燥装置は、上記目標を達成するため複数のノズルを間隔をおいて配列し、ノズルから噴出される噴流の進行方向を往復運動させるようにしたことを特徴とする。そして、本発明によれば噴流を時間とともにノズル噴流の噴出方向を変化する構成とすることで、ノズル間隔を広く開けて設置しても、ノズルが動いてノズル噴流の隙間をなくして噴流を噴きつけることができるため、すなわち、ノズル噴流の隙間を無くそうとして大風量のノズル噴流を噴出する必要がなく、ノズル間隔の影響を受けにくく、乾燥ムラが生じないとともに風速を維持して風量を低減して省エネルギーで高圧気流発生装置である送風機の消費電力を低減することができる手乾燥装置が得られる。
【００１５】
また、手を挿入する方向を鉛直方向とすると、複数のノズルを間隔をおいて水平方向に配列して、かつ水平方向に往復運動させる噴流往復運動手段を備えたことを特徴とする。
【００１６】
また、複数のノズルから噴出される噴流の方向を変化させるために可動部材を用いた噴流方向変更手段を備えたことを特徴とする。
【００１７】
また、複数のノズルを間隔をおいて配列し、ノズルから噴出される噴流の方向を変化させるために可動部材を用いた噴流方向変更手段を備えたことを特徴とする。
【００１８】
また、噴流方向変更手段は可動部材を用いてノズルを動かすことで噴流の進行方向を自在に制御できる構成としたことを特徴とする。
【００１９】
また、ノズルを円筒形状の弾性体にて構成し、ノズルの噴流を噴出する吹出口を自由端とし、他端を固定端として構成したことを特徴とする。
【００２０】
また、複数の噴流の進行方向を常に同一方向に変化させることができることを特徴とする。
【００２１】
また、ノズルを曲げることで噴流の進行方向を変更できる構成としたことを特徴とする。
【００２２】
また、噴流方向変更手段は可動部材としてノズルを動かすために設置された案内板を設けることで自在に噴流の進行方向を制御できる構成としたことを特徴とする。
【００２３】
また、案内板には複数の円筒形状のノズルの直径よりも大きな直径の穴をノズルの個数分持ち、かつ複数のノズルと等間隔で配列されている構成となることを特徴とする。
【００２４】
また、案内板に設けられた穴は吹出口の反対方向がテーパ形状となり、案内板とノズルは連結がなく、ノズルと案内板は接触する構成となることを特徴とする。
【００２５】
また、ノズルの材質をゴムとしたことを特徴とする。
【００２６】
また、ノズルの一部に屈曲しやすくなるように蛇腹部を持つ形状としたことを特徴とする。
【００２７】
また、ノズルが手乾燥室の内面に突出しないようにカバーを設け、ノズルから噴出される噴流を隔てることが内容に設置されたことを特徴とする。
【００２８】
また、噴流方向変更手段を動作させるモータを備え、案内板とモータを連結して、モータの回転運動を伝えて案内板を動作させる構成となることを特徴とする。
【００２９】
また、モータにクランクの一方の軸を連結し、クランクの偏心された別の軸とリンクを連結し、リンクと案内板を連結した構成において、クランクからリンクを介して案内板へ動作を伝え、案内板は複数の支持部により保持されて往復運動する構成において、リンクと案内板の連結部は複数の支持部の間に備えられたことを特徴とする。
【００３０】
また、ノズルを複数に分割および間隔をおいて直線状に配列し、ノズルから噴出される噴流の風向を往復運動させる噴流往復運動手段を備えたことを特徴とする。
【００３１】
本発明の手乾燥装置は、上記目標を達成するため一つのノズルから噴出する噴流の初期領域に存在するポテンシャルコアの先端が往復移動する距離を複数のノズルの間隔より長いように構成したことを特徴とする。
【００３２】
また、ノズルの吹出口の断面形状はスリット形状であり、往復運動する方向を長手方向としたことを特徴とする。
【００３３】
また、ノズルの吹出口の断面形状は楕円形状であり、往復運動する方向を長手方向としたことを特徴とする。
【００３４】
また、手乾燥室は手を抜き差しできる開口を備え、手乾燥室に挿入された手に対し、手の甲側に向かって噴流を噴出する手の甲側ノズル、及び手の平側に向かって噴流を噴出する手の平側ノズルを備えた構成であって、手の平側ノズルの配置数を手の甲側ノズルより多くしたことを特徴とする。
【００３５】
また、ノズル１個あたりの開口面積を比較して、手の平側ノズルの開口面積を手の甲側ノズルより広くしたことを特徴とする。
【００３６】
また、列状に配列されたノズルのうち、両端のノズルは列の中央寄りに傾斜していることを特徴とする。
【００３７】
また、手乾燥室内に挿入された手を検知する検出器を備え、検出器から伝達される検知信号を受けて高圧気流発生装置及び噴流方向変更手段の運転を制御する制御装置を備えた構成であって、制御装置により噴流方向変更手段を動作させた後、時間をおいて高圧気流発生装置を動作させることを特徴とする。
【００３８】
また、噴流方向変更手段による往復運動の周期を時間と共に変化させることを特徴とする。
【００３９】
また、高圧気流発生装置を２個備え、それぞれ独立した吹出風路及びノズルを備えた構成であって、運転開始と共に一方の高圧気流発生装置を運転させた後、時間をおいて他方の高圧気流発生装置を運転させることを特徴とする。
【００４０】
また、手乾燥室内に目線遮り部を設け、且つ目線遮り部は手乾燥室の開口からノズルが見えないようにしたことを特徴とする。
【００４１】
また、噴流方向変更手段はノズルに往復運動を伝える案内板と、案内板を動作させるモータを備え、案内板を往復運動させて噴流方向を変更できる構成であって、モータは手乾燥室の手挿入方向に対してノズルより手前側に備えたことを特徴とする。
【００４２】
また、モータは手乾燥室の手挿入方向に対してノズルより奥側に備えたことを特徴とする。
【００４３】
また、モータを吹出風路の外部に備え、且つモータの手前にモータを覆うモータカバーを備えたことを特徴とする。
【００４４】
また、吸込口は箱体の下面に備え、それぞれの吸込口から上方に向かって独立した吸込風路を形成して２個の高圧気流発生装置までそれぞれ案内し、高圧気流発生装置はファン及び駆動軸及び駆動モータから構成されており、高圧気流発生装置の駆動軸は水平方向にして２台並列して配置され、且つ駆動軸は一直線上となるようにしたことを特徴とする。
【００４５】
また、箱体は裏面を壁面に沿って固定され、上面に開口した手乾燥室と、下面に使用者の手から分離した水滴を溜めるドレンタンクと、ドレンタンクの奥寄りに吸込口を備え、吸込口からドレンタンクの上を覆うように吸込風路が形成されて高圧気流発生装置まで連通させた構成であって、制御装置は高圧気流発生装置より下で、且つドレンタンクの上を覆う吸込風路の上に備えたことを特徴とする。
【００４６】
また、ノズルは吹出口と流入部を両端に持つ筒状で形成されており、吹出風路内面より流入部に向かって押し込み防止部を備えたことを特徴とする。
【発明の効果】
【００４７】
本発明によれば複数のノズルを間隔をおいて配列し、ノズルから噴出される噴流の進行方向を往復運動させるようにしたことにより短時間で手を乾燥させるためには、十分な風速を持った噴流が大量に手に接触することで、噴流の運動エネルギーをもち、これにより水滴の除去に有効であるが、ノズルが動いてノズル噴流の隙間をなくして噴流を噴きつけることができるため、すなわち、ノズル噴流の隙間を無くそうとして大風量のノズル噴流を噴出する必要がなく、ノズルを動かすことでノズルがない部分でも擬似的にノズルがあるかのような形で手の乾燥をすることができるため、乾燥ムラがなく噴流をできる限り少ない風量とすることができ、省電力になるという効果のある手乾燥装置を提供できる。
【００４８】
また、手を挿入する方向を鉛直方向とすると、複数のノズルを間隔をおいて水平方向に配列して、かつ水平方向に往復運動させる噴流往復運動手段を備えたことにより同様の効果のある手乾燥装置を提供できる。
【００４９】
また、複数のノズルから噴出される噴流の方向を変化させるために可動部材を用いた噴流方向変更手段を備えたことにより同様の効果のある手乾燥装置を提供できる。
【００５０】
また、複数のノズルを間隔をおいて配列し、ノズルから噴出される噴流の方向を変化させるために可動部材を用いた噴流方向変更手段を備えたことにより同様の効果のある手乾燥装置を提供できる。
【００５１】
また、噴流方向変更手段は可動部材を用いてノズルを動かすことで噴流の進行方向を自在に制御できる構成としたことにより同様の効果のある手乾燥装置を提供できる。
【００５２】
また、ノズルを円筒形状の弾性体にて構成し、ノズルの噴流を噴出する吹出口を自由端とし、他端を固定端として構成したことにより同様の効果のある手乾燥装置を提供できる。
【００５３】
また、複数の噴流の進行方向を常に同一方向に変化させることができることにより同様の効果のある手乾燥装置を提供できる。
【００５４】
また、ノズルを曲げることで噴流の進行方向を変更できる構成としたことにより同様の効果のある手乾燥装置を提供できる。
【００５５】
また、噴流方向変更手段は可動部材としてノズルを動かすために設置された案内板を設けることで自在に噴流の進行方向を制御できる構成としたことにより同様の効果のある手乾燥装置を提供できる。
【００５６】
また、案内板には複数の円筒形状のノズルの直径よりも大きな直径の穴をノズルの個数分持ち、かつ複数のノズルと等間隔で配列されている構成となることにより同様の効果のある手乾燥装置を提供できる。
【００５７】
また、案内板に設けられた穴は吹出口の反対方向がテーパ形状となり、案内板とノズルは連結がなく、ノズルと案内板は接触する構成となることにより同様の効果のある手乾燥装置を提供できる。
【００５８】
また、ノズルの材質をゴムとしたことにより同様の効果のある手乾燥装置を提供できる。
【００５９】
また、ノズルの一部に屈曲しやすくなるように蛇腹部を持つ形状としたことにより同様の効果のある手乾燥装置を提供できる。
【００６０】
また、ノズルが手乾燥室の内面に突出しないようにカバーを設け、ノズルから噴出される噴流を隔てることが内容に設置されたことにより同様の効果のある手乾燥装置を提供できる。
【００６１】
また、噴流方向変更手段を動作させるモータを備え、案内板とモータを連結して、モータの回転運動を伝えて案内板を動作させる構成となることにより同様の効果のある手乾燥装置を提供できる。
【００６２】
また、モータにクランクの一方の軸を連結し、クランクの偏心された別の軸とリンクを連結し、リンクと案内板を連結した構成において、クランクからリンクを介して案内板へ動作を伝え、案内板は複数の支持部により保持されて往復運動する構成において、リンクと案内板の連結部は複数の支持部の間に備えられたことにより同様の効果のある手乾燥装置を提供できる。
【００６３】
本発明によれば一つのノズルから噴出する噴流の初期領域に存在するポテンシャルコアの先端が往復移動する距離を複数のノズルの間隔より長いように構成したことにより同様の効果のある手乾燥装置を提供できる。
【００６４】
また、ノズルの吹出口の断面形状はスリット形状であり、往復運動する方向を長手方向としたことにより同様の効果のある手乾燥装置を提供できる。
【００６５】
また、ノズルの吹出口の断面形状は楕円形状であり、往復運動する方向を長手方向としたことにより同様の効果のある手乾燥装置を提供できる。
【００６６】
また、手乾燥室は手を抜き差しできる開口を備え、手乾燥室に挿入された手に対し、手の甲側に向かって噴流を噴出する手の甲側ノズル、及び手の平側に向かって噴流を噴出する手の平側ノズルを備えた構成であって、手の平側ノズルの配置数を手の甲側ノズルより多くしたことにより同様の効果のある手乾燥装置を提供できる。
【００６７】
また、ノズル１個あたりの開口面積を比較して、手の平側ノズルの開口面積を手の甲側ノズルより広くしたことにより同様の効果のある手乾燥装置を提供できる。
【００６８】
また、列状に配列されたノズルのうち、両端のノズルは列の中央寄りに傾斜していることにより同様の効果のある手乾燥装置を提供できる。
【００６９】
また、手乾燥室内に挿入された手を検知する検出器を備え、検出器から伝達される検知信号を受けて高圧気流発生装置及び噴流方向変更手段の運転を制御する制御装置を備えた構成であって、制御装置により噴流方向変更手段を動作させた後、時間をおいて高圧気流発生装置を動作させることにより同様の効果のある手乾燥装置を提供できる。
【００７０】
また、噴流方向変更手段による往復運動の周期を時間と共に変化させることにより同様の効果のある手乾燥装置を提供できる。
【００７１】
また、高圧気流発生装置を２個備え、それぞれ独立した吹出風路及びノズルを備えた構成であって、運転開始と共に一方の高圧気流発生装置を運転させた後、時間をおいて他方の高圧気流発生装置を運転させることにより同様の効果のある手乾燥装置を提供できる。
【００７２】
また、手乾燥室内に目線遮り部を設け、且つ目線遮り部は手乾燥室の開口からノズルが見えないようにしたことにより従来の使用感を損なわないという効果のある手乾燥装置を提供できる。
【００７３】
また、噴流方向変更手段はノズルに往復運動を伝える案内板と、案内板を動作させるモータを備え、案内板を往復運動させて噴流方向を変更できる構成であって、モータは手乾燥室の手挿入方向に対してノズルより手前側に備えたことにより同様の効果のある手乾燥装置を提供できる。
【００７４】
また、モータは手乾燥室の手挿入方向に対してノズルより奥側に備えたことにより同様の効果のある手乾燥装置を提供できる。
【００７５】
また、モータを吹出風路の外部に備え、且つモータの手前にモータを覆うモータカバーを備えたことにより同様の効果のある手乾燥装置を提供できる。
【００７６】
また、吸込口は箱体の下面に備え、それぞれの吸込口から上方に向かって独立した吸込風路を形成して２個の高圧気流発生装置までそれぞれ案内し、高圧気流発生装置はファン及び駆動軸及び駆動モータから構成されており、高圧気流発生装置の駆動軸は水平方向にして２台並列して配置され、且つ駆動軸は一直線上となるようにしたことにより同様の効果のある手乾燥装置を提供できる。
【００７７】
また、箱体は裏面を壁面に沿って固定され、上面に開口した手乾燥室と、下面に使用者の手から分離した水滴を溜めるドレンタンクと、ドレンタンクの奥寄りに吸込口を備え、吸込口からドレンタンクの上を覆うように吸込風路が形成されて高圧気流発生装置まで連通させた構成であって、制御装置は高圧気流発生装置より下で、且つドレンタンクの上を覆う吸込風路の上に備えたことにより同様の効果のある手乾燥装置を提供できる。
【００７８】
また、ノズルは吹出口と流入部を両端に持つ筒状で形成されており、吹出風路内面より流入部に向かって押し込み防止部を備えたことにより同様の効果のある手乾燥装置を提供できる。
【発明を実施するための最良の形態】
【００７９】
本発明の請求項１記載の発明は、複数のノズルを間隔をおいて配列し、ノズルから噴出される噴流の進行方向を往復運動させるようにしたものであり、手を洗った後には手の甲や手のひらの全体に水滴が付着しているため、手に付着した水滴を除去するためには、手全体に満遍なく高速噴流を噴出することが望ましい。しかし、手全体に噴流を噴きつけるためにはノズルの噴出部の開口部が多く必要となるため、風量が大量に必要となる。消費電力を考慮して高圧気流発生装置の昇圧を低下させると、ノズルから噴出する高速噴流の風速が減速するため、手に付着した水滴を除去するために十分な風速がなくなり、乾燥が不十分となる。
【００８０】
これを解決するためにノズルから噴出される噴流の噴出方向を往復運動させることで、ノズル噴流の隙間がなくなり、噴流が濡れた手全体に均一にあたり、ノズルとノズルの間隔をとる配置にしても、手に十分な噴流が接触するようになり、風速を維持したまま風量を低減することで消費電力を軽減し、かつ乾燥のムラをなくすことで手の乾燥を満足することができるという作用を有する。
【００８１】
また、手を挿入する方向を鉛直方向とすると、複数のノズルを間隔をおいて水平方向に配列して、かつ水平方向に往復運動させる噴流往復運動手段を備えたものであり、ノズルを手を引き抜く方向に対して垂直にして、かつ水平に配列したことで、手を引き抜く動作で水滴を除去するのと同時に、ノズルを水平に動かして水滴を除去する力も加わり、水滴の除去がしやすくなるという作用を有する。
【００８２】
また、複数のノズルから噴出される噴流の方向を変化させるために可動部材を用いた噴流方向変更手段を備えたものであり、ノズルから噴出される噴流の方向を変化させることで、ノズルとノズルの間隔をとるような配置にしても手に十分な噴流が接触するようになり、風速を維持したまま風量を低減することで消費電力を軽減し、かつ乾燥のムラをなくすことで手の乾燥を満足することができるという作用を有する。
【００８３】
また、複数のノズルを間隔をおいて配列し、ノズルから噴出される噴流の方向を変化させるために可動部材を用いた噴流方向変更手段を備えたものであり、ノズルから噴出される噴流の方向を変化させることで、ノズルとノズルの間隔をとるような配置にしても手に十分な噴流が接触するようになり、風速を維持したまま風量を低減することで消費電力を軽減し、かつ乾燥のムラをなくすことで手の乾燥を満足することができるという作用を有する。
【００８４】
また、噴流方向変更手段は可動部材を用いてノズルを動かすことで噴流の進行方向を自在に制御できる構成としたものであり、手全体に高速噴流を吹きつけるためにノズルを自在に動かすことで、手の乾燥を十分に行うことができるという作用を有する。
【００８５】
また、ノズルを円筒形状の弾性体にて構成し、ノズルの噴流を噴出する吹出口を自由端とし、他端を固定端として構成したものであり、ノズルを弾性体として変形させながら片方の端部を固定端として振幅させることで、自由端側の吹出口の噴流は扇形のように拡がりを持って噴流が発生させることができ、手全体に当たりやすくなるという作用を有する。
【００８６】
また、複数の噴流の進行方向を常に同一方向に変化させることができるものであり、噴流の風向を同一にすることで、噴流同士の干渉を最小限にして、噴流のよどみを発生しないようにするという作用を有する。
【００８７】
また、ノズルを曲げることで噴流の進行方向を変更できる構成としたものであり、ノズルを曲げることで風向を変更できることで、最小限のノズルの動きで噴流の拡がりを大きくすることができるという作用を有する。
【００８８】
また、噴流方向変更手段は可動部材としてノズルを動かすために設置された案内板を設けることで自在に噴流の進行方向を制御できる構成としたものであり、案内板を使用することで、複数のノズルの動作を一括で処理でき、噴流の方向性を制御しやすいという作用を有する。
【００８９】
また、案内板には複数の円筒形状のノズルの直径よりも大きな直径の穴をノズルの個数分持ち、かつ複数のノズルと等間隔で配列されている構成となるものであり、案内板を使用することで、複数のノズルを動作しやすくなり、噴流の方向を同時に同一方向に変更できるという作用を有する。
【００９０】
また、案内板に設けられた穴は、吹出口の反対方向がテーパ形状となり、案内板とノズルは連結がなく、ノズルと案内板は接触する構成となるものであり、案内板に設けられた穴をテーパ形状とすることで、案内板とノズルが摺動する箇所を最小限にすることができるとともに、ノズルの変形を妨げないことができるという作用を有する。
【００９１】
また、ノズルの材質をゴムとしたものであり、ノズルをゴムとすることで、弾性変形しやすくして抵抗を低減することができるという作用を有する。
【００９２】
また、ノズルの一部に屈曲しやすくなるように蛇腹部を持つ形状としたものであり、ノズルの材質が硬質なものでも蛇腹部を持たせることで容易に屈曲できるようにでき、抵抗を少なくできるため、ノズルの動作に余分なエネルギーが要らないという作用を有する。
【００９３】
また、ノズルが手乾燥室の内面に突出しないようにカバーを設け、ノズルから噴出される噴流を隔てることが内容に設置されたものであり、ノズルがカバーによって覆われることで、従来の使用感を損なわないという作用を有する。
【００９４】
また、噴流方向変更手段を動作させるモータを備え、案内板とモータを連結して、モータの回転運動を伝えて案内板を動作させる構成となるものであり、風向変更手段をモータの動作にて実現することで、往復運動の動作を容易に実現でき、噴流の方向変更を簡単に実現できるという作用を有する。
【００９５】
また、モータにクランクの一方の軸を連結し、クランクの偏心された別の軸とリンクを連結し、リンクと案内板を連結した構成において、クランクからリンクを介して案内板へ動作を伝え、案内板は複数の支持部により保持されて往復運動する構成において、リンクと案内板の連結部は複数の支持部の間に備えられたものであり、クランク機構を使用することで、複雑な機構を用いることなくモータの回転運動を案内板とノズルに伝達することができるという作用を有する。
【００９６】
また、本発明の請求項１７記載の発明は、一つのノズルから噴出する噴流の初期領域に存在するポテンシャルコアの先端が往復移動する距離を複数のノズルの間隔より長いように構成したものである。ここで、噴流の初期領域とは、ノズルの吹出口近傍における噴流の風速分布を表し、ポテンシャルコアとは、吹出口直下の風速が減衰しない領域を指し、例えば吹出口の形状が円形である場合のポテンシャルコアの領域は、吹出口の中心が最も長い矛状の領域となる。ポテンシャルコアについて、さらに詳細な説明は実施の形態にて後述する。請求項１７記載の発明は、隣り合うノズルから噴出された噴流のポテンシャルコアの領域が往復運動する際にできる軌跡が互いに重なりを持つように構成されるため、挿入された手に対して隙間無く噴流を接触させることができるという作用を有する。
【００９７】
また、ノズルの吹出口の断面形状はスリット形状で、ノズルが往復運動する方向を長手方向としたものであり、吹出口から噴出された噴流からできるポテンシャルコアの領域が拡大するため、ノズルが往復運動しても噴流が当たり続ける時間を長くすることができるという作用を有する。
【００９８】
また、ノズルの吹出口の断面形状は楕円形状で、ノズルが往復運動する方向を長手方向としたものであり、吹出口から噴出された噴流からできるポテンシャルコアの領域は、吹出口の幅が大きいほど到達距離が遠くなるため、中心部分に最長到達距離を持ち、且つ長手方向に噴流が拡散するため、噴流の到達距離を長くしつつ、ノズルが往復運動しても噴流が当たり続ける時間を長くすることができるという作用を有する。
【００９９】
また、手乾燥室は手を抜き差しできる開口を備え、手乾燥室に挿入された手に対し、手の甲側に向かって噴流を噴出する甲側ノズル、及び手の平側に向かって噴流を噴出する平側ノズルを備えた構成であって、平側ノズルの配置数を甲側ノズルより多くしたものであり、水滴が手に付着した際に、一般的に手の甲側に比べて手の平側の方が乾きにくいことから、手の平側のノズル配置数を増やすことで噴流の接触回数が増加するという作用を有する。
【０１００】
また、ノズル１個あたりの開口面積を比較して、平側ノズルの開口面積を甲側ノズルより広くしたものであり、平側ノズルの開口面積を増やすことで、乾きにくい手の平側に当たる噴流の風量を多くすることができるという作用を有する。
【０１０１】
また、列状に配列されたノズルのうち、両端のノズルは列の中央寄りに傾斜させたものであり、挿入された手に対して列の両端のノズルから噴出される噴流は手の小指側側面に当たるように構成しているため、噴流が往復運動する際に噴出される噴流の角度によって噴流が手に接触しないことがあり、手に付着した水滴を吹き飛ばすことができず、すばやく乾燥ができないことから、列の両端のノズルを列の中央寄りに傾斜させることで、噴流が往復運動して方向が変更されても確実に手に噴流を接触させることができる。また、手の側面に付着した水滴に対して確実に噴流を当てることができるという作用を有する。
【０１０２】
また、手乾燥室内に挿入された手を検知する検出器を備え、検出器から伝達される検知信号を受けて高圧気流発生装置及び噴流方向変更手段の運転を制御する制御装置を備えた構成であって、制御装置により噴流方向変更手段を動作させた後、時間をおいて高圧気流発生装置を動作させるものであり、高圧気流発生装置が動作する音に対して噴流方向変更手段が動作する音が小さいため、手を挿入した後、噴流方向変更手段の動作音が聞こえた後に高圧気流発生装置の動作をさせることで、騒音を段階的に発生させるという作用を有する。
【０１０３】
また、噴流方向変更手段による往復運動の周期を時間と共に変化させるものであり、使用者が手を挿入されたことを検知した後、手に当たる噴流の周期を徐々に上昇させるよう制御したものである。よって、使用者は手に噴流が周期的に当たることによる感覚は、急にではなく徐々に感じるという作用を有する。
【０１０４】
また、高圧気流発生装置を２個備え、それぞれ独立した吹出風路及びノズルを備えた構成であって、運転開始と共に一方の高圧気流発生装置を運転させた後、時間をおいてもう一方の高圧気流発生装置を運転させるものであり、使用者が手を挿入した後、使用者の手には急激に強い噴流が当たる事無く、段階的に噴流を当てることができるという作用を有する。
【０１０５】
また、手乾燥室内に目線遮り部を設け、且つ目線遮り部は手乾燥室の開口からノズルが見えないようにしたものであり、使用者は往復運動するノズルを見ることができないようにしたものであるという作用を有する。
【０１０６】
また、噴流方向変更手段はノズルに往復運動を伝える案内板と、案内板を動作させるモータを備え、案内板を往復運動させて噴流方向を変更できる構成であって、モータは手乾燥室の手挿入方向に対してノズルより手前側に備えたことにより、ノズルと手乾燥室の壁面との隙間や、ノズルの吹出口から水が浸入した場合に、モータは水の浸入経路より重力方向で上方にあるため、水がかかることが無いという作用を有する。
【０１０７】
また、モータは手乾燥室の手挿入方向に対してノズルより奥側に備えたものであり、手乾燥室の開口からノズルまでの距離を短くすることができるという作用を有する。
【０１０８】
また、モータを吹出風路の外部に備え、且つモータの手前にモータを覆うモータカバーを備えたものであり、ノズルと手乾燥室の壁面との隙間から水が浸入した場合に、モータに水がかかることが無いという作用を有する。
【０１０９】
また、吸込口は箱体の下面に備え、それぞれの吸込口から上方に向かって独立した吸込風路を形成して２個の高圧気流発生装置までそれぞれ案内し、高圧気流発生装置はファン及び駆動軸及び駆動モータから構成されており、高圧気流発生装置は水平方向に並列して配置したものである。本発明の高圧気流発生装置の形状は円筒状であり、直径はファンの外径の大きさで決定され、高さは駆動軸の長さで決定され、一般的に外径の大きさよりも高さの方が小さいため、駆動軸を水平方向として２台の高圧気流発生装置を配置すると、必要な箱体の幅を小さくすることができる。また、２台の高圧気流発生装置の駆動軸を一直線上とすることで、箱体の下面までの距離が等しくなり、吸込風路の長さをほぼ同一にすることができるという作用を有する。
【０１１０】
また、箱体は裏面を壁面に沿って固定され、上面に開口した手乾燥室と、下面に使用者の手から分離した水滴を溜めるドレンタンクと、ドレンタンクの奥寄りに吸込口を備え、吸込口からドレンタンクの上を覆うように吸込風路が形成されて高圧気流発生装置まで連通させた構成であって、制御装置は高圧気流発生装置より下に備えたものであり、箱体の上部にある手乾燥室と制御装置との距離を遠くできるため、手乾燥室とノズルとの隙間から水が浸入した場合に、水が制御装置まで届きにくい。また、制御装置は吸込風路の上に設置することで、ドレンタンクに溜まった水の跳ね返りによって制御装置に水がかかりにくいという作用を有する。
【０１１１】
また、ノズルは吹出口と流入部を両端に持つ筒状で形成されており、吹出風路内面より流入部に向かって押し込み防止部を備えたものであり、ノズルが吹出口側から押し込み方向の荷重が発生してもノズルが吹出風路内に入り込み、ノズルが変形することがないという作用を有する。
【０１１２】
以下、本発明の実施の形態について図面を参照しながら説明する。
【０１１３】
（実施の形態１）
図１から図７に示すように、壁面に固定された箱体１は、高速噴流を噴き出すノズル２を対に対峙した形で付属している。ノズル２の対峙した空間に手を挿入して乾燥させるための手乾燥室３が本体内部に形成される。その手乾燥室３の下方に水滴回収手段であるドレンタンク４を付属している。箱体１内には高圧気流発生装置５および制御装置６が設けられている。手乾燥室３の中に挿入された手を検知して高圧気流発生装置５に通電するための検出器７を箱体１の一部に付属している。上記構成において濡れた手を手乾燥室３に挿入すると、検出器７により手の存在を検知して、高圧気流発生装置５を動作させる。これにより本体下部に設置された吸込口８から外部空気を吸込み、高圧気流発生装置５を経由して風が形成されてノズル２より送風される。このとき差し出した手に風が当たり、手を乾燥させる。手を引っ込めると検出器７の検出がなくなるので、高圧気流発生装置５は停止する。このような運転の作業を制御装置６にて実施する。
【０１１４】
ノズル２は、風量を少なくするため、複数個の円孔の吹出口９をもつ円筒の形状をしており、直線状に等間隔で構成されている。一例をあげるとノズル２の径をφ５ｍｍとすると、複数のノズル２の間隔は、１０〜４０ｍｍである。
【０１１５】
噴流方向変更手段１０である可動部材１１は、案内板１２、モータ１３としての例えば金属部品で構成されたＤＣブラシレスモータ、クランク１４およびリンク１７を組合わせて使用した機構としての総称であり、案内板１２、モータ１３、クランク１４およびリンク１７を連動して動作するようになっている。
【０１１６】
また、ノズル２は、噴流の進行方向を変更させるために可動部材１１の一部として設置された案内板１２を使用して可動できるようになっている。
【０１１７】
この際、モータ１３にクランク１４の一方の軸１５を連結し、クランク１４の偏心された別の軸１６とリンク１７を連結し、リンク１７と案内板１２を連結した構成で、クランク１４かリンク１７を介して案内板１２へ動作を伝え、案内板１２は複数の支持部１８により保持されて往復運動する構成であり、リンク１７と案内板１２の連結部１９は複数の支持部１８の間に備えられている。
【０１１８】
連結部１９が支持部１８の間に設置することで案内板１２への力の加わり方が円滑になるため、動作をスムーズにできる利点がある。
【０１１９】
案内板１２には吹出口９の配置されている間隔と同ピッチで吹出口９よりも大きな穴２０を持ち、その穴２０に円筒形状の弾性体であるゴムで構成されたノズル２を挿入して動かすことで風向を自在に制御できる構成となっている。ノズル２は弾性体のため、案内板１２が動作すると接触を行いながら徐々に変形して、ノズル２は曲がった状態となり噴流の方向を変化させる。案内板１２とノズル２は接触はするが、一体ではない。したがって、案内板１２とノズル２が接触した際に案内板１２の一部を摺動するため、できる限り摺動する面積を減らして摩擦抵抗を軽減できれば、案内板１２を動作させる動力が少なくなるため、案内板のノズルを通した穴２０の部分をテーパ形状２１としている。この際にノズル２の吹出口９の方向と反対側をテーパ形状２１とすると、ノズル２の変形の妨げにならない。例えば１〜５ｍｍ程度の面加工でよい。
【０１２０】
ノズル２が変形して噴流の方向を変化させることで、噴流が手乾燥室３に挿入した手にある程度の間隔を持って設置されているにもかかわらず万遍なく吹きつけることができるため、噴流を濡れた手全体に均一にあてることができ、ノズル２の開口部を少なくでき、風量が少なくても乾燥ムラをなくし乾燥時間を維持することができ、消費電力を削減することができる。
【０１２１】
更に、従来は手を挿入する方向を鉛直方向とすると、ノズル２は水平方向に配列されており、その噴流に対して手を引き抜く動作のみで水滴を除去していたが、噴流はノズルの水平方向の往復運動の作用により、水滴が変形を起こし水滴の接触角が変化を起こし、瞬間的に手の表面が撥水性を持った状況と同じような状況を作り出し、水滴が除去しやすくなり乾燥時間も短縮できる効果がある。
【０１２２】
なお一例として、噴流の流速は少なくとも吹出口９の直下での測定で風速５０ｍ／ｓ以上が望ましく、また噴流の振幅の周期は１０〜６０Ｈｚとすることで乾燥効果を良好にすることができる。
【０１２３】
また、２面吹出しによる事例を示したが、１面吹出しの場合でも同様の効果があることは明らかである。
【０１２４】
なお、ノズル２をゴムで作成する場合は、シリコンゴムなど比較的柔らかい材料で、かつ耐久性の高い材料が適している。
【０１２５】
また、ノズル２の一部を蛇腹部２２を持つ形状とすることで、材質が比較的硬いものでも、ノズル２の変形の際に抵抗を軽減できる。蛇腹部２２の寸法はノズル２の厚みや外形などの寸法により異なるため、変形のしやすさを基に設計する必要がある。
【０１２６】
なおノズル２を複数配列する場合に、案内板１２が長くなる場合は変形しやすくなるため強度を十分に保てるように、例えばＰＰやＡＢＳなどの樹脂材料の場合は補強を入れたり、例えばアルミなどの軽量の金属にて構成する必要がある。
【０１２７】
なお、クランク１４の変わりに伝達機構として、その他の方法を使用しても良く、例えばカムを使用した場合は、リンク１７が不要になる場合があり、部品点数を減らす効果がある。
【０１２８】
（実施の形態２）
本発明の実施の形態２は、実施の形態１と同一部分については同一番号を付し、詳細な説明は省略する。
【０１２９】
図８に示すように、ノズル２が箱体１の一部である手乾燥室３の外観に飛び出さないように、箱体の一部であるカバー２３により覆われているため、使用者にノズル２が動作していることがわからないため、今までの使用感と同等にできる。
【０１３０】
つまり、ノズル２が手乾燥室３の内面に突出しないとは、使用者の手にふれることができないことであり、ノズル２から噴出する噴流を隔てないとは、噴流を手に吹き付けることができる構成のことであり、手を乾燥させるためには必要不可欠である。
【０１３１】
（実施の形態３）
本発明の実施の形態３は、実施の形態１から２と同一部分については同一番号を付し、詳細な説明は省略する。
【０１３２】
図９に示すように、一つのノズル２の吹出口９は円形状であり、吹出口９から噴出する噴流の初期領域２４に存在するポテンシャルコア２５の先端が往復移動する距離としてのポテンシャルコア移動距離２６は、複数のノズル２の間隔であるノズル間距離２７より長いように構成したものであり、隣り合うノズル２から噴出された噴流のポテンシャルコア２５の領域が往復運動する際にできる軌跡が互いに重なりを持つように構成されるため、挿入された手に対して隙間無く噴流を接触させることができ、挿入された手に対して隙間無く噴流を接触させることができることから乾燥ムラがなく、手に付着した水滴をすばやく乾燥できる。
【０１３３】
また、図１０に噴流の風速分布を示し、初期領域２４及びポテンシャルコア２５について説明する。
【０１３４】
吹出口９から噴流を噴出すると、噴流は距離が遠くなるにつれて周囲の空気を巻き込みながら広がり、風速が低下していく。また、吹出口９近傍には、吹出口直下の風速が低下しないポテンシャルコア２５があり、中心は周囲の空気の影響を受けないため最も到達距離が長くなる。ポテンシャルコア２５を含み、ポテンシャルコア２５の先端までの噴流領域を初期領域２４と呼び、それより下流は発達領域２８と呼ぶ。また、ポテンシャルコア２５の長さは吹出口９の形状によって変わり、一般的にスリット状である場合はスリット幅寸法の６倍程度であり、円形である場合は半径の１０倍程度である。
【０１３５】
また、図１１（ａ）に示すように、吹出口９をスリット状とすると噴流を長手方向に広げることができ、ノズルが往復運動しても噴流が当たり続ける時間を長くすることができるため、手を挿入した場合は、手の同じ部位により長い時間噴流を当てることで、手に付着した水滴をすばやく除去できる。
【０１３６】
また、図１１（ｂ）に示すように、吹出口９を楕円形状とすることでノズルが往復運動する方向を長手方向としたものであり、吹出口から噴出された噴流からできるポテンシャルコア２５の領域は、前述の通り吹出口９の幅が大きいほど到達距離が遠くなるため、中心部分に最長到達距離を持ち、且つ長手方向に噴流が拡散するため、噴流の到達距離を長くでき、同様の効果がある。
【０１３７】
吹出口９の形状については、上記円形状、スリット状、楕円状などを組み合わせても良く、使用条件等に合わせて適宜選択することが望ましい。
【０１３８】
（実施の形態４）
本発明の実施の形態４は、実施の形態１から３と同一部分については同一番号を付し、詳細な説明は省略する。
【０１３９】
図１２に示すように、手乾燥室３に挿入された手に対し、手の甲側に向かって噴流を噴出する手の甲側ノズル２ａ、及び手の平側に向かって噴流を噴出する手の平側ノズル２ｂを備えた構成であって、手の平側ノズル２ｂの配置数を手の甲側ノズル２ａより多くしたものであり、水滴が手に付着した際に、一般的に手の甲側に比べて手の平側の方が乾きにくいことから、手の平側のノズル配置数を増やすことで噴流の接触回数が増加させ、手をすばやく乾かすことができる。また、手の平側ノズル２ｂの配置数を増やす際は、ノズル間距離２７を小さくしても良いし、手の平側ノズル２ｂを千鳥状に配列しても良い。例えば、手の甲側ノズル２ｂをノズル間距離３５ｍｍで７個配列し、手の平側ノズル２ａをノズル間距離２１ｍｍで１１個配列したものである。
【０１４０】
また、ノズル２の１個あたりの開口面積を比較して、手の平側ノズル２ｂの開口面積を手の甲側ノズル２ａより広くしたものであり、手の平側ノズル２ｂの開口面積を増やすことで、乾きにくい手の平側に当たる噴流の風量を多くして手をすばやく乾かすことができる。一例を挙げると、吹出口９の形状を円形状とした場合は、手の平側ノズル２ｂを直径６ｍｍとし、手の甲側ノズル２ａを直径５ｍｍとしたものである。
【０１４１】
また、図１３に示すように、列状に配列されたノズル２のうち、両端のノズル２を列の中央寄りに傾斜させたものであり、挿入された手に対して列の両端のノズル２から噴出される噴流は手の小指側側面に当たるように構成しているため、噴流が往復運動して方向が変更されても確実に手に噴流を接触させることができる。また、手の側面に付着した水滴に対して確実に噴流を当てることができる。
【０１４２】
また、図１２に示すように制御装置６により噴流方向変更手段１０を動作させた後、時間をおいて高圧気流発生装置５を動作させることにより、高圧気流発生装置５が動作する音に対して噴流方向変更手段１０が動作する音が小さいため、手を挿入した後、噴流方向変更手段１０の動作音が聞こえた後に高圧気流発生装置５の動作をさせることで、従来の使用感を損なわない。
【０１４３】
また、噴流方向変更手段１０による往復運動の周期を時間と共に変化させるものであり、使用者が手を挿入されたことを検知した後、手に当たる噴流の周期を徐々に上昇させるよう制御したものである。よって、使用者は手に噴流が周期的に当たることによる感覚は、急にではなく徐々に感じることとなり、従来の使用感を損なわずに使用することができる。例えば、噴流方向変更手段１０は１秒間で往復運動の周期を２０Ｈｚまで上昇させるものである。
【０１４４】
また、図１６に示すように、高圧気流発生装置５を２個備え、それぞれ独立した吹出風路２９及びノズル２を備えた構成であって、運転開始と共に一方の高圧気流発生装置５を運転させた後、時間をおいてもう一方の高圧気流発生装置５を運転させたものであり、使用者が手を挿入した後、使用者の手には急激に強い噴流が当たる事無く、段階的に噴流を当てることで使用者の手に付着した水が使用者に跳ね返りにくくでき、従来の使用感を損なわずに使用することができる。また、高圧気流発生装置５の動作開始による突入電流は、時間をおいて発生するため、２台同時に動作させるよりも電流を低減することができる。
【０１４５】
また、使用者が往復運動するノズル２を見ることができないように手乾燥室３内に目線遮り部３０を設けることにより使用者は可動部分見えず、濡れた手を入れる手乾燥室の空間の範囲が明瞭に分かり、また、手乾燥室をすっきり見せることができ、従来の使用感を損なわずに使用できる。
【０１４６】
（実施の形態５）
本発明の実施の形態５は、実施の形態１から４と同一部分については同一番号を付し、詳細な説明は省略する。
【０１４７】
図１４に示すように、案内板１２を動作させるモータ１３は手乾燥室３の手挿入方向に対してノズル２より手前側に備えたことにより、ノズル２と手乾燥室３の壁面との隙間や吹出口９から水が浸入した場合に、水の浸入経路よりもモータ１３は重力方向で上方にあるため、水が付着することが無く錆などの腐食を防止できる。
【０１４８】
また、図１６に示すように、モータ１３は手乾燥室３の手挿入方向に対してノズル２より奥側に備えることもでき、手乾燥室３の開口からノズル２までの距離を短くすることで、使用者は手を入れやすいだけでなく、手を手乾燥室３の奥の方まで挿入しなくとも手全体に噴流を当てることができるため、使い勝手が良いという効果もある。しかし、その際にモータ１３を吹出風路２９の外部に備えた場合は、モータ１３の手前にモータ１３を覆うモータカバー３１を設け、ノズル２と手乾燥室３の壁面との隙間から水が浸入した場合にモータ１３に水が付着することが無く錆などの腐食を防止できる。
【０１４９】
上記のモータ１３の配置については、手乾燥装置の使いやすさや大きさを考慮して適宜選択することが望ましい。
【０１５０】
（実施の形態６）
本発明の実施の形態６は、実施の形態１から５と同一部分については同一番号を付し、詳細な説明は省略する。
【０１５１】
図１２及び図１６に示すように、吸込口８は箱体１の下面に備え、それぞれの吸込口８から上方に向かって独立した吸込風路３２を形成して２個の高圧気流発生装置５までそれぞれ案内し、高圧気流発生装置５はファン３３及び駆動軸３４及び駆動モータ３５から構成されており、高圧気流発生装置５は水平方向に並列して配置したものである。本発明の高圧気流発生装置５は一般的に家庭用掃除機等に用いられる高速ターボブロワを用いている。高圧気流発生装置５の形状は円筒状であり、直径はファン３３の外径の大きさで決定され、高さは駆動軸３４の長さで決定され、一般的に外径の大きさよりも高さの方が小さいため、駆動軸３４を水平方向として２台の高圧気流発生装置５を配置すると、必要な箱体１の幅を小さくすることができ、装置の大きさをコンパクトにすることで、使い勝手が良い手乾燥装置を提供できる。
【０１５２】
また、２台の高圧気流発生装置５の駆動軸３４を一直線上とすることで、箱体１の下面までの距離が等しくなり、吸込風路３２の長さをほぼ同一にすることで、高圧気流発生装置５のファンから発生する乱流音が吸込風路３２内を伝播して吸込口８から放射する騒音の大きさがほぼ同一となり、いずれかの放射音が大きい場合と比較して騒音を低減することができ、運転時の騒音によって不快感を感じることがなく従来の使用感を損なわない。
【０１５３】
また、箱体１は裏面を壁面に沿って固定され、上面に開口した手乾燥室３と、下面に使用者の手から分離した水滴を溜めるドレンタンク４と、ドレンタンク４の奥寄りに吸込口８を備え、吸込口８からドレンタンク４の上を覆うように吸込風路３２が形成されて高圧気流発生装置５まで連通させた構成であって、制御装置６は、高圧気流発生装置５より下に備えたものであり、箱体１の上部にある手乾燥室３と制御装置６との距離を遠くできるため、手乾燥室３とノズル２との隙間から水が浸入した場合に、水が制御装置６まで届きにくいため水がかかることによる錆などの腐食を防止できる。また、制御装置６は吸込風路３２の上に設置することで、ドレンタンク４に溜まった水の跳ね返りによって制御装置６に水がかかりにくいため錆などの腐食を防止できる。
【０１５４】
（実施の形態７）
本発明の実施の形態７は、実施の形態１から６と同一部分については同一番号を付し、詳細な説明は省略する。
【０１５５】
図１７に示すように、ノズル２は吹出口９と流入部３６を両端に持つ筒状で形成されており、吹出風路２９の内面より流入部３６に向かって押し込み防止部３７を備えたものであり、ノズル２が吹出口９側から押し込み方向の荷重が発生しても、ノズル２が吹出風路２９内に入り込み、ノズル２が変形することが無く、従来の使用感を損なわない手乾燥装置を提供できる。
【産業上の利用可能性】
【０１５６】
例えば、洗面所やトイレ、台所等で手を洗い、濡れた手を乾燥させる装置等に有効であり、また、一般的に液体によって濡れた物体を乾燥させる用途などにも適用でき、また、粉体などにより汚れた衣服などを清浄する用途などにも適用できる。
【図面の簡単な説明】
【０１５７】
【図１】本発明の実施の形態１の手乾燥装置の外観を示す斜視図
【図２】同側断面斜視図
【図３】同断面斜視図
【図４】同手乾燥装置の噴流方向変更手段の外観を示す断面斜視拡大図
【図５】同噴流方向変更手段の軸を示す断面斜視拡大図
【図６】同噴流方向変更手段の構成を示す断面斜視拡大図
【図７】同その他の断面斜視図拡大図
【図８】本発明の実施の形態２の断面斜視図
【図９】本発明の実施の形態３の円筒ノズル示す図（（ａ）同円筒ノズルの斜視図、（ｂ）同円筒ノズルの側面図）
【図１０】同ノズルのポテンシャルコア２５を示す断面図
【図１１】同ノズル他例を示す図（（ａ）同スリットノズル示す斜視図、（ｂ）同楕円ノズルを示す斜視図）
【図１２】本発明の実施の形態４及び６の手乾燥装置の構成を示す断面図
【図１３】本発明の実施の形態４の手乾燥装置のノズルの配置を示す側面図
【図１４】本発明の実施の形態５のモータの配置の構成を示す断面斜視図
【図１５】同モータの配置の他例を示す断面斜視図
【図１６】本発明の実施の形態６の手乾燥装置の構成を示す正面断面図
【図１７】本発明の実施の形態７の押し込み防止部の構成を示す側面断面図
【図１８】従来の手乾燥装置の一例を示す断面図
【図１９】同ノズルの斜視図
【図２０】従来の手乾燥装置の別の一例を示す斜視図
【図２１】従来の手乾燥装置の別の一例を示す断面図
【図２２】従来の手乾燥装置の別の一例を示す断面図
【符号の説明】
【０１５８】
１    箱体
２    ノズル
２ａ  手の甲側ノズル
２ｂ  手の平側ノズル
３    手乾燥室
４    ドレンタンク
５    高圧気流発生装置
６    制御装置
７    検出器
８    吸込口
９    吹出口
１０  噴流方向変更手段
１１  可動部材
１２  案内板
１３  モータ
１４  クランク
１５  軸
１６  軸
１７  リンク
１８  支持部
１９  連結部
２０  穴
２１  テーパ形状
２２  蛇腹部
２３  カバー
２４  初期領域
２５  ポテンシャルコア
２６  ポテンシャルコア移動距離
２７  ノズル間距離
２８  発達領域
２９  吹出風路
３０  目線遮り部
３１  モータカバー
３２  吸込風路
３３  ファン
３４  駆動軸
３５  駆動モータ
３６  流入部
３７  押し込み防止部
【図１】
2008080100.tif 000003
【図２】
2008080100.tif 000004
【図３】
2008080100.tif 000005
【図４】
2008080100.tif 000006
【図５】
2008080100.tif 000007
【図６】
2008080100.tif 000008
【図７】
2008080100.tif 000009
【図８】
2008080100.tif 000010
【図９】
2008080100.tif 000011
【図１０】
2008080100.tif 000012
【図１１】
2008080100.tif 000013
【図１２】
2008080100.tif 000014
【図１３】
2008080100.tif 000015
【図１４】
2008080100.tif 000016
【図１５】
2008080100.tif 000017
【図１６】
2008080100.tif 000018
【図１７】
2008080100.tif 000019
【図１８】
2008080100.tif 000020
【図１９】
2008080100.tif 000021
【図２０】
2008080100.tif 000022
【図２１】
2008080100.tif 000023
【図２２】
2008080100.tif 000024